(57)【要約】      （修正有）【課題】第１の周波数変換手段で変換された第１の中間周波数を第２の周波数変換手段で第２の中間周波数に変換する受信装置において、局部発振回路を簡単な回路で構成する。【解決手段】受信周波数に第１の発振周波数をミキシングして第１の中間周波数に変換する第１の周波数変換手段１４と、第１の周波数変換手段１４で変換された第１の中間周波数に第２の発振周波数をミキシングして、第２の中間周波に変換する第２の周波数変換手段４２とを有する受信装置において、第２の発振周波数を発振し、第２の周波数変換手段４２に供給する発振手段１１１と、発振手段１１１から第２の発振周波数が供給され、第２の発振周波数を逓倍して、第１の発振周波数を取得し、第１の周波数変換手段１４に供給する逓倍手段１１２とを有する。【選択図】図１
2005159547.tif 000002
【特許請求の範囲】
【請求項１】
受信周波数に第１の発振周波数をミキシングして、該受信周波数を第１の中間周波数に変換する第１の周波数変換手段と、前記第１の周波数変換手段で変換された第１の中間周波数に第２の発振周波数をミキシングして、前記第１の中間周波数を第２の中間周波数に変換する第２の周波数変換手段とを有する受信装置において、
前記第２の発振周波数を発振し、前記第２の周波数変換手段に供給する発振手段と、
前記発振手段から前記第２の発振周波数が供給され、前記第２の発振周波数を逓倍して、前記第１の発振周波数を取得し、前記第１の周波数変換手段に供給する逓倍手段とを有することを特徴とする受信装置。
【請求項２】
前記発振手段で発振される第２の発振周波数及び前記逓倍手段から取得される第１の発振周波数は、前記第１の中間周波数及び前記第２の中間周波数が既存の通信機器で使用されている周波数帯域となるように設定されていることを特徴とする請求項１記載の受信装置。
【請求項３】
前記第１の中間周波数は、既存のセラミックフィルタを使用可能な周波数帯域に設定されていることを特徴とする請求項１又は２記載の受信装置。
【請求項４】
前記第２の中間周波数は、復調回路が検波コイルを外付けすることなく、ＩＣ化可能となる周波数帯域に設定されていることを特徴とする請求項１乃至３のいずれか一項記載の受信装置。
【発明の詳細な説明】
【技術分野】
【０００１】
本発明は受信装置に係り、特に、受信周波数に第１の発振周波数をミキシングして、受信周波数を第１の中間周波数に変換する第１の周波数変換手段と、第１の周波数変換手段で変換された第１の中間周波数に第２の発振周波数をミキシングして、第１の中間周波数を第２の中間周波数に変換する第２の周波数変換手段とを有する受信装置に関する。
【背景技術】
【０００２】
近年、自動車などのドアのロックシステムとして、キーレスエントリーシステムが採用されている。キーレスエントリーシステムは、無線でロックを解除するための信号が送信され、これを受信装置で受信してロックを解除するシステムである。キーレスエントリーシステムでは、例えば、周波数４４７．７２５ＭＨｚを含む周波数帯域で信号が無線送信される。
【０００３】
図２は従来の受信装置の一例のブロック構成図を示す。
【０００４】
従来のこの種の受信装置１は、ＳＡＷ（surface acoustic wave）フィルタ１１、アンプ１２、バンドパスフィルタ１３、第１のミキサ１４、第１の発振回路１５、ＭＣＦ（monolithic
crystal filter）１６、第２のミキサ１７、第２の発振回路１８、ＣＦ（セラミックフィルタ）１９、検波コイル２０、データ検知回路２１を含む構成とされている。
【０００５】
受信装置１には、アンテナ端子Ｔantにアンテナが接続されており、アンテナから受信信号が供給される。受信装置１は、受信信号のうちの周波数が４４７．７２５ＭＨｚの信号を受信するための装置である。
【０００６】
ＳＡＷフィルタ１１は、アンテナ端子Ｔantに供給される信号のうち周波数４４７．７２５ＭＨｚの受信信号を含む周波数帯域の信号を通過させる。ＳＡＷフィルタ１１を通過した信号は、アンプ１２に供給される。
【０００７】
アンプ１２は、高周波アンプから構成されており、ＳＡＷフィルタ１１から供給された高周波信号を増幅する。アンプ１２で増幅された信号は、バンドパスフィルタ１３に供給される。
【０００８】
バンドパスフィルタ１３は、アンプ１２により増幅された信号から周波数４４７．７２５ＭＨｚの受信信号を含む周波数帯域の信号を通過させる。バンドパスフィルタ１３を通過した信号は、第１のミキサ１４に供給される。
【０００９】
第１のミキサ１４には、第１の発振回路１５から第１の発振周波数ｆosc1が供給され、バンドパスフィルタ１３から供給される信号と第１の発振回路１５からの第１の発振周波数ｆosc1の発振信号とをミキシングして、バンドパスフィルタ１３からの信号を第１の中間周波数ＩＦ１に周波数変換する。第１の中間周波数ＩＦ１は、４４．８２２ＭＨｚに設定されている。
【００１０】
第１の発振回路１５は、発振子３１、発振回路部３２、逓倍器３３から構成されている。
【００１１】
発振子３１は、例えば、水晶発振子、セラミック発振子から構成されており、発振周波数ｆ0で発振する。発振周波数ｆ0は、例えば、既存の発振子の発振周波数である７１．０５４ＭＨｚに設定されている。
【００１２】
発振子３１は、発振回路部３２に接続されている。発振回路部３２は、発振子３１に共振して発振周波数ｆ0で発振出力する。
【００１３】
発振回路部３２の発振出力は、逓倍器３３に供給される。逓倍器３３は、発振回路部３２からの発振出力の周波数を６倍する。逓倍器３３の出力周波数は、第１の発振周波数ｆosc1として出力される。よって、第１の発振周波数ｆosc1は、
ｆosc1＝（７１．０５４ＭＨｚ）×６＝（４２６．３２５ＭＨｚ）
となる。
【００１４】
この第１の発振周波数ｆosc1の発振出力は、第１のミキサ１４に供給される。第１のミキサ１４は、バンドパスフィルタ１３からの信号と発振回路１５の発振出力とをミキシングして、バンドパスフィルタ１３からの信号の周波数を第１の中間周波数ＩＦ１に変換する。
【００１５】
第１の中間周波数ＩＦ１は、受信信号の周波数である４４７．７２５ＭＨｚと第１の発振周波数ｆosc1である４２６．３２５ＭＨｚとの差分の周波数に相当する。よって、第１の中間周波数ＩＦ１は、
ＩＦ１＝（４４７．７２５ＭＨｚ）−（４２６．３２５ＭＨｚ）
＝（２１．４ＭＨｚ）
となる。
【００１６】
第１のミキサ１４で周波数変換された第１の中間周波数ＩＦ１の信号は、ＭＣＦ１６に供給される。ＭＣＦ１６は、第１のミキサ１４からの信号のうち、周波数２１．４ＭＨｚの信号を通過させる。ＭＣＦ１６を通過した信号は、復調ＩＣ１７に供給される。
【００１７】
復調ＩＣ１７は、発振回路部４１、第２のミキサ４２、アンプ４３、復調回路４４から構成される。復調ＩＣ１７には、発振子１８、ＣＦ１９、検波コイル２０、データ検波回路２１が外付けされている。
【００１８】
発振回路部４１には、発振子１８が接続されている。発振子１８は、発振周波数２０．９４５ＭＨｚで発振する。発振回路部４１は、発振子１８からの発振周波数２０．９４５ＭＨｚに共振して、発振子１８の発振周波数２０．９４５ＭＨｚと同じ第２の発振周波数ｆosc2で発振出力する。
【００１９】
発振回路部４１の発振出力は、第２のミキサ４２に供給される。第２のミキサ４２は、ＭＣＦ１６からの第１の中間周波数ＩＦ１の信号と発振回路部４１からの発振出力とをミキシングして、第１の中間周波数ＩＦ１の信号を第２の中間周波数ＩＦ２に周波数変換する。このとき、第２の中間周波数ＩＦ２は、第１の中間周波数ＩＦ１と発振回路部４２の第２の発振周波数ｆosc2との周波数の差分に相当する。よって、第２の発振周波数ｆosc2は、
ｆosc2＝（２１．４ＭＨｚ）−（２０．９４５ＭＨｚ）＝（４５５ｋＨｚ）
となる。
【００２０】
第２のミキサ４２で第２の中間周波数ＩＦ２に周波数変換された信号は、ＣＦ１９に供給される。ＣＦ１９は、第２の周波数ＩＦ２の信号を通過させる。
【００２１】
ＣＦ１９を通過した信号は、復調ＩＣ１７でアンプ４３に供給される。アンプ４３は、ＣＦ１９からの信号を増幅する。アンプ４３で増幅された信号は、復調回路４４に供給される。
【００２２】
復調回路４４には、外付けの検波コイル２０が接続されており、検波コイル２０と協働してアンプ４３からの信号をオーディオ周波数帯域の信号に復調する。
【００２３】
復調回路４４で復調された信号は、データ検知回路２１に供給される。データ検知回路２１は、復調回路４４からの信号からデータを復元し、出力端子Ｔoutから出力する。
【００２４】
なお、上記のような受信装置に相当する文献を発見することはできなかった。
【発明の開示】
【発明が解決しようとする課題】
【００２５】
しかしながら、従来の受信装置１は、受信周波数を第１中間周波数に変換するための第１発振周波数を生成するための第１発振回路１５及び第１中間周波数を第２中間周波数に変換するための第２発振周波数を生成するための第２発振回路１８を有し、第１発振回路１５、第２発振回路１８の夫々に発振子３１、１８を設ける必要があったため、回路構成が複雑となるとともに、設置面積が大きく、装置のサイズが大きくなる。また、発振子は高価であるため、コストが高くなるなどの課題があった。
【００２６】
本発明は上記の点に鑑みてなされたもので、簡単な回路構成で構成できる受信装置を提供することを目的とする。
【課題を解決するための手段】
【００２７】
本発明は、受信周波数（ｆr）に第１の発振周波数（ｆosc1）をミキシングして、受信周波数（ｆr）を第１の中間周波数（ＩＦ１）に変換する第１の周波数変換手段（１４）と、第１の周波数変換手段（１４）で変換された第１の中間周波数（ＩＦ１）に第２の発振周波数（ｆosc2）をミキシングして、第１の中間周波数（ＩＦ１）を第２の中間周波数（ＩＦ２）に変換する第２の周波数変換手段（４２）とを有する受信装置において、第２の発振周波数（ｆosc2）を発振し、第２の周波数変換手段（４２）に供給する発振手段（１１１）と、発振手段（１１１）から第２の発振周波数（ｆosc2）が供給され、第２の発振周波数（ｆosc2）を逓倍して、第１の発振周波数（ｆosc1）を取得し、第１の周波数変換手段（１４）に供給する逓倍手段（１１２）とを有することを特徴とする。
【００２８】
また、発振手段（１１１）で発振される第２の発振周波数（ｆosc2）及び逓倍手段（１１２）から取得される第１の発振周波数（ｆosc1）は、第１の中間周波数（ＩＦ１）及び第２の中間周波数（ＩＦ２）が既存の通信機器で使用されている周波数帯域となるように設定されていることを特徴とする。
【００２９】
さらに、第１の中間周波数（ＩＦ１）は、既存のセラミックフィルタ（１３）を使用可能な周波数帯域に設定されていることを特徴とする。
【００３０】
また、第２の中間周波数（ＩＦ２）は、復調回路が検波コイルを外付けすることなく、ＩＣ化可能となる周波数帯域に設定されていることを特徴とする。
【００３１】
なお、上記参照符号は、あくまでも参考であり、これによって、請求の範囲を限定しようとするものではない。
【発明の効果】
【００３２】
本発明によれば、受信周波数に第１の発振周波数をミキシングして、受信周波数を第１の中間周波数に変換する第１の周波数変換手段と、第１の周波数変換手段で変換された第１の中間周波数に第２の発振周波数をミキシングして、第１の中間周波数を第２の中間周波数に変換する第２の周波数変換手段とを有する受信装置において、第２の発振周波数を発振し、第２の周波数変換手段に供給する発振手段と、発振手段から第２の発振周波数が供給され、第２の発振周波数を逓倍して、第１の発振周波数を取得し、第１の周波数変換手段に供給する逓倍手段とを設けることにより、発振手段が一つで受信周波数を第１の中間周波数に変換し、さらに、第１の中間周波数を第２の中間周波数に変換できるため、受信装置を小型で安価に構成できる等の特長を有する。
【００３３】
また、本発明によれば、発振手段で発振される第１の発振周波数を第１の中間周波数が既存のクリスタルフィルタを使用可能な周波数帯域となるように設定し、また、逓倍手段から取得される第２の発振周波数を第２の中間周波数が検波コイルを外付けすることなく、ＩＣ化が可能な周波数帯域となるように設定することにより、既存の部品をそのまま使用できるため、設計を容易に行える等の特長を有する。
【発明を実施するための最良の形態】
【００３４】
〔受信装置１００〕
図１は本発明の一実施例のブロック構成図を示す。同図中、図２と同一構成部分には同一符号を付し、その説明は省略する。
【００３５】
本実施例の受信装置１００は、ＳＡＷフィルタ１１、アンプ１２、バンドパスフィルタ１３、第１ミキサ１４、データ検知回路２１、発振回路１１１、逓倍器１１２、復調ＩＣ（integrated circuit）１１３から構成されている。
【００３６】
第１ミキサ１４には、発振回路１１１で発振された第２の発振周波数ｆosc2を逓倍器１１２により９倍した第１の発振周波数ｆosc1が供給されている。
【００３７】
〔発振回路１１１〕
発振回路１１１は、発振子１２１及び発振回路部１２２から構成される。発振子１２１は、例えば、既存の発振周波数の水晶振動子、セラミック発振子などから構成され、電圧を印加することにより第２の発振周波数fosc2で発振される。発振回路部１２２は、発振子１２１の発振に共振して第２の発振周波数ｆosc2で発振を行う。ここで、第２の発振周波数ｆosc2は、４４．７６７ＭＨｚである。この周波数は、既存の発振子１２１により発生可能は周波数に設定されている。このため、特殊な設定の発振子１２１を用いる必要がなく、安価に入手可能である。よって、特別な設計などが不要となる。
【００３８】
発振回路１１１で発振された第２の発振周波数ｆosc2の信号は、逓倍器１１２及び復調ＩＣ１１３に供給される。
【００３９】
〔逓倍器１１２〕
逓倍器１１２は、発振回路１１１からの第２の発振周波数ｆosc2を９倍して、第１の発振周波数ｆosc1に逓倍する。このとき、第２の発振周波数ｆosc2は、４４．７６７ＭＨｚであるので、第１の発振周波数ｆosc1は
ｆosc1＝（４４．７６７ＭＨｚ）×９＝４０２．９０３ＭＨｚ
となる。
【００４０】
逓倍器１１２で第２の発振周波数ｆosc2を逓倍して得られた第１の発振周波数ｆosc1の信号は、第１のミキサ１４に供給される。
【００４１】
〔第１のミキサ１４〕
第１のミキサ１４は、バンドパスフィルタ１３からの信号と逓倍器１１２からの第１の発振周波数ｆosc2とをミキシングして、バンドパスフィルタ１３からの信号の搬送波周波数を第１の中間周波数ＩＦ１に変換する。このとき、受信周波数は（４４７．７２５ＭＨｚ）、第１の発振周波数ｆosc2は（４０２．９０３ＭＨｚ）であるので、第１の中間周波数ＩＦ１は、その差分に応じた周波数となる。すなわち、第１の中間周波数ＩＦ１は、
ＩＦ１＝（４４７．７２５ＭＨｚ）−（４０２．９０３ＭＨｚ）
＝（４４．８２２ＭＨｚ）
となる。
【００４２】
この第１の中間周波数ＩＦ１（＝４４．８２２ＭＨｚ）は、約４５ＭＨｚであり、４５ＭＨｚは、例えば、携帯型無線トランシーバで用いられている周波数帯域に相当する。よって、携帯型無線トランシーバで用いられている回路をそのまま適用することができる。
【００４３】
第１のミキサ１４で第１の中間周波数ＩＦ１に変換された信号は、ＭＣＦ１６に供給される。
【００４４】
〔ＭＣＦ１６〕
ＭＣＦ１６は、４５ＭＨｚ帯の信号を通過させる構成であればよいので、携帯型のトランシーバで用いられている通常のＭＣＦを用いることが可能である。このため、特殊な設定のＭＣＦを用いる必要がなく、安価に入手可能である。ＭＣＦ１６を通過した信号は、復調ＩＣ１１３に供給される。
【００４５】
〔復調ＩＣ１１３〕
復調ＩＣ１１３は、１チップの半導体基板上に形成されたＩＣであり。第２のミキサ４２、バンドパスフィルタ１３１、アンプ４３、復調回路１３２から構成される。
【００４６】
第２のミキサ４２には、発振回路１１１から第２の発振周波数ｆosc2の発振出力が供給されている。第２のミキサ４２は、ＭＣＦ１６からの第１の中間周波数ＩＦ１の信号と発振回路１１１から供給される第２の発振周波数ｆosc2（＝４４．７６７ＭＨｚ）とをミキシングして、ＭＣＦ１６からの第１の中間周波数ＩＦ１の信号を第２の中間周波数ＩＦ２に周波数変換する。
【００４７】
このとき、第１の中間周波数ＩＦ１は４４．８２２ＭＨｚであり、第２の発振周波数ｆosc2は４４．７６７ＭＨｚであるので、第２の中間周波数ＩＦ２は、第１の中間周波数ＩＦ１と第２の発振周波数ｆosc2との差分の周波数となる。よって、第２の中間周波数ＩＦ２は、
ＩＦ２＝（４４．８２２ＭＨｚ）−（４４．７６７ＭＨｚ）＝（５５ｋＨｚ）
となる。
【００４８】
この第２の中間周波数ＩＦ２（＝５５ｋＨｚ）は、例えば、コードレス電話機の親機と子機との間の通信周波数帯域に相当している。よって、既存の復調回路をそのまま適用可能となる。
【００４９】
第２のミキサ４２で周波数変換された第２の中間周波数ＩＦ２（＝５５ｋＨｚ）は、復調ＩＣ１１を構成するＩＣチップ上に搭載されたバンドパスフィルタ１３１に供給される。バンドパスフィルタ１３１は、第２の中間周波数ＩＦ２（＝５５ｋＨｚ）の信号を通過させる。このとき、第２の中間周波数ＩＦ２は、５５ｋＨｚと比較的低い周波数であるので、従来のようにセラミックフィルタを用いることなく、セラミックフィルタと同等の周波数特性を得ることができる。
【００５０】
バンドパスフィルタ１３１を通過した信号は、アンプ４３に供給される。アンプ４３は、バンドパスフィルタ１３１からの第２の中間周波数ＩＦ２の信号を増幅して復調回路１３２に供給する。
【００５１】
復調回路１３２は、アンプ４３から供給された第２の中間周波数ＩＦ２の信号を復調してオーディオ周波数帯域の信号を出力する。このとき、復調回路１３２では、第２の中間周波数ＩＦ２（＝５５ｋＨｚ）の信号からオーディオ周波数帯域の信号を復調すればよいので、比較的低周波帯域の信号処理で済むので、従来の復調回路４４のように高周波の復調に必要なクォドラチャ検波コイルなどの検波コイルを外付け部品として取り付ける必要がない。よって、外付け部品を削減できる。
【００５２】
このように、本実施例の復調ＩＣ１１３では、外付け部品を大幅に削減でき、装置の小型化に寄与する。また、安価に構成できる。
【００５３】
復調回路１４２で復調された信号は、復調ＩＣ１１３から出力され、データ検知回路２１に供給される。データ検知回路２１は、復調ＩＣ１１３からのオーディオ周波数帯域の信号からデータを復元し、出力端子Ｔoutから出力する。
【００５４】
〔効果〕
本実施例によれば、一つの発振回路１１１と逓倍器１１２で第１の中間周波数ＩＦ１への周波数変換と第２の中間周波数ＩＦ２への周波数変換を行えるため、部品点数を大幅に削減できる。
【００５５】
また、第１の中間周波数ＩＦ１は携帯型無線トランシーバの通信に用いられている既存の周波数帯域であるので、第１の中間周波数ＩＦ１を扱う回路、例えば、ＭＣＦ１６を携帯型無線トランシーバで使用されている既存のＭＣＦで構成できるので、新たに設計などが不要となり、安価に構成できる。
【００５６】
さらに、第２の中間周波数ＩＦ２はコードレス電話機の親機と子機との間での通信に用いられている既存の周波数帯域に設定されているので、第２の中間周波数ＩＦ２を扱う復調ＩＣ１１３を構成する回路として、既存のコードレス電話機の回路を適用でき、新たに設計などが不要となり、安価に構成できる。
【００５７】
また、復調ＩＣ１１３は、５５ｋＨｚという比較的低い周波数の第２の中間周波数ＩＦ２を扱うため、バンドパスフィルタ１３１をＩＣチップ内に内蔵できるとともに、復調回路１４２に検波コイルなどを外付けする必要がない。よって、部品点数を削減でき、小型に、かつ、安価に構成できる。
【００５８】
さらに、復調ＩＣ１１３は、外付け部品を削減できるため、端子数を低減でき、よって、チップ面積を小型化できる。これによって、受信装置１００を大幅に小型化できる。
【図面の簡単な説明】
【００５９】
【図１】本発明の一実施例のブロック構成図である。
【図２】従来の受信装置の一例のブロック図である。
【符号の説明】
【００６０】
１００  受信装置
１１  ＳＡＷフィルタ
１２  アンプ
１３  バンドパスフィルタ
１４  第１のミキサ
１６  ＭＣＦ
２１  データ検知回路
１１１  発振回路
１２１  発振子
１２２  発振回路部
１１３  復調ＩＣ
４２  第２のミキサ
４３  アンプ
１３１  バンドパスフィルタ
１３２  復調回路
【図１】
2005159547.tif 000003
【図２】
2005159547.tif 000004